【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
Ｗｉ−Ｆｉシステム内で通信する方法であって、
局により、アクセス・ポイントからのダウンリンク送信を受信するステップであって、前記ダウンリンク送信はフレームを含み、前記フレームは、アップリンクパケットを送信するためのリソースの位置の表示、ターゲット電力レベルの表示、および第１の送信電力レベルの表示を含み、前記ターゲット電力レベルの表示は、アップリンクパケットのターゲットアップリンク受信電力を示すために使用され、前記第１の送信電力レベルの表示は、アクセス・ポイントによってフレームを送信するために使用される送信電力を示すために使用される、受信するステップと、
前記局により、前記フレームの受信電力レベルを測定するステップと、
前記局により、前記受信電力レベルおよび第１の送信電力レベルに従って経路損失を決定するステップと、
前記局により、前記ターゲット電力レベルおよび経路損失に従って第２の送信電力レベルを決定するステップと、
前記局により、前記第２の送信電力レベルで、かつ前記リソースの前記位置で前記アップリンクパケットを送信するステップと、
を含む、方法。
【請求項２】
前記フレームは、さらに、ダウンリンク送信の第１の帯域幅の表示を含み、前記第１の帯域幅は、ダウンリンク送信の帯域幅全体である、請求項１に記載の方法。
【請求項３】
前記フレームは、第２の帯域幅で送信され、前記第２の帯域幅は、前記第１の帯域幅の一部である、請求項２に記載の方法。
【請求項４】
前記ターゲット電力レベルおよび経路損失に従って第２の送信電力レベルを決定するステップは、
ＰＵＬ＿ＴＸ＝ＰＵＬ＿ＲＸ＿ＴＡＲＧＥＴ＋ＰＬ
を評価するステップを含み、ＰＵＬ＿ＴＸは前記第２の送信電力レベルであり、ＰＵＬ＿ＲＸ＿ＴＡＲＧＥＴは前記ターゲット電力レベルであり、ＰＬは前記経路損失である、
請求項１から３のいずれか一項に記載の方法。
【請求項５】
前記経路損失を決定するステップは、
ＰＬ＝ＰＤＬ＿ＴＸ−ＰＤＬ＿ＲＸ
を評価するステップを含み、ＰＬは前記経路損失であり、ＰＤＬ＿ＴＸは前記第１の送信電力レベルであり、ＰＤＬ＿ＲＸは前記フレームの受信電力レベルである、
請求項４に記載の方法。
【請求項６】
前記フレームはトリガ・フレームである、請求項１から５のいずれか一項に記載の方法。
【請求項７】
Ｗｉ−Ｆｉシステム内で通信する方法であって、
アクセス・ポイントにより、ダウンリンク送信を送信するステップであって、前記ダウンリンク送信はフレームを含み、前記フレームは、局がアップリンクパケットを送信するためのリソースの位置の表示、ターゲット電力レベルの表示、および第１の送信電力レベルの表示を含み、前記ターゲット電力レベルの表示は、アップリンクパケットのターゲットアップリンク受信電力を示すために使用され、前記第１の送信電力レベルの表示は、アクセス・ポイントによってフレームを送信するために使用される送信電力を示すために使用される、送信するステップと、
前記アクセス・ポイントにより、前記ターゲット電力レベルおよび第１の送信電力レベルに従って決定される第２の送信電力レベルで送信される前記アップリンクパケットを受信するステップと、
を含み、前記アップリンクパケットは、前記リソースの前記位置で受信される、方法。
【請求項８】
前記フレームは、さらに、ダウンリンク送信の第１の帯域幅の表示を含み、前記第１の帯域幅は、ダウンリンク送信の帯域幅全体である、請求項７に記載の方法。
【請求項９】
前記フレームは、第２の帯域幅で送信され、前記第２の帯域幅は、前記第１の帯域幅の一部である、請求項８に記載の方法。
【請求項１０】
ＰＵＬ＿ＴＸ＝ＰＵＬ＿ＲＸ＿ＴＡＲＧＥＴ＋ＰＬであり、ＰＵＬ＿ＴＸは前記第２の送信電力レベルであり、ＰＵＬ＿ＲＸ＿ＴＡＲＧＥＴは前記ターゲット電力レベルであり、ＰＬは経路損失であり、
ＰＬ＝ＰＤＬ＿ＴＸ−ＰＤＬ＿ＲＸであり、ＰＬは前記経路損失であり、ＰＤＬ＿ＴＸは前記第１の送信電力レベルであり、ＰＤＬ＿ＲＸは前記フレームの受信電力レベルである、
請求項７から９のいずれか一項に記載の方法。
【請求項１１】
前記フレームはトリガ・フレームである、請求項７から１０のいずれか一項に記載の方法。
【請求項１２】
Ｗｉ−Ｆｉシステム内で電力制御を実施するように適合された局であって、
アクセス・ポイントからのダウンリンク送信を受信するように構成された受信器であって、前記ダウンリンク送信はフレームを含み、前記フレームは、アップリンクパケットを送信するためのリソースの位置の表示、ターゲット電力レベルの表示、および第１の送信電力レベルの表示を含み、前記ターゲット電力レベルの表示は、アップリンクパケットのターゲットアップリンク受信電力を示すために使用され、前記第１の送信電力レベルの表示は、アクセス・ポイントによってフレームを送信するために使用される送信電力を示すために使用される、受信器と、
前記受信器に動作可能に接続されたプロセッサであって、前記プロセッサは、前記フレームの受信電力レベルを測定して、前記受信電力レベルおよび第１の送信電力レベルに従って経路損失を決定し、かつ前記ターゲット電力レベルおよび経路損失に従って第２の送信電力レベルを決定するように構成された、プロセッサと、
前記プロセッサに動作可能に接続された送信器であって、前記送信器は、前記第２の送信電力レベルで、かつ前記リソースの前記位置で前記アップリンクパケットを送信するように構成された、送信器と、
を備える、局。
【請求項１３】
前記フレームは、さらに、ダウンリンク送信の第１の帯域幅の表示を含み、前記第１の帯域幅は、ダウンリンク送信の帯域幅全体である、請求項１２に記載の局。
【請求項１４】
前記フレームは、第２の帯域幅で送信され、前記第２の帯域幅は、前記第１の帯域幅の一部である、請求項１３に記載の局。
【請求項１５】
前記プロセッサは、
ＰＵＬ＿ＴＸ＝ＰＵＬ＿ＲＸ＿ＴＡＲＧＥＴ＋ＰＬ
を評価するように構成され、ＰＵＬ＿ＴＸは前記第２の送信電力レベルであり、ＰＵＬ＿ＲＸ＿ＴＡＲＧＥＴは前記ターゲット電力レベルであり、ＰＬは前記経路損失である、
請求項１２から１４のいずれか一項に記載の局。
【請求項１６】
前記プロセッサは、
ＰＬ＝ＰＤＬ＿ＴＸ−ＰＤＬ＿ＲＸ
を評価するように構成され、ＰＬは前記経路損失であり、ＰＤＬ＿ＴＸは前記第１の送信電力レベルであり、ＰＤＬ＿ＲＸは前記フレームの受信電力レベルである、
請求項１５に記載の局。
【請求項１７】
前記フレームはトリガ・フレームである、請求項１２から１６のいずれか一項に記載の局。
【請求項１８】
Ｗｉ−Ｆｉシステム内のアクセス・ポイントであって、
ダウンリンク送信を送信するように構成された送信器であって、前記ダウンリンク送信はフレームを含み、前記フレームは、局がアップリンクパケットを送信するためのリソースの位置の表示、ターゲット電力レベルの表示、および第１の送信電力レベルの表示を含み、前記ターゲット電力レベルの表示は、アップリンクパケットのターゲットアップリンク受信電力を示すために使用され、前記第１の送信電力レベルの表示は、アクセス・ポイントによってフレームを送信するために使用される送信電力を示すために使用される、送信器と、
前記送信器に動作可能に接続された受信器であって、前記受信器は前記ターゲット電力レベルおよび第１の送信電力レベルに従って決定される第２の送信電力レベルで送信される前記アップリンクパケットを受信するように構成された、受信器と、
を備え、前記アップリンクパケットは、前記リソースの前記位置で受信される、アクセス・ポイント。
【請求項１９】
前記フレームは、さらに、ダウンリンク送信の第１の帯域幅の表示を含み、前記第１の帯域幅は、ダウンリンク送信の帯域幅全体である、請求項１８に記載のアクセス・ポイント。
【請求項２０】
前記フレームは、第２の帯域幅で送信され、前記第２の帯域幅は、前記第１の帯域幅の一部である、請求項１９に記載のアクセス・ポイント。
【請求項２１】
ＰＵＬ＿ＴＸ＝ＰＵＬ＿ＲＸ＿ＴＡＲＧＥＴ＋ＰＬであり、ＰＵＬ＿ＴＸは前記第２の送信電力レベルであり、ＰＵＬ＿ＲＸ＿ＴＡＲＧＥＴは前記ターゲット電力レベルであり、ＰＬは経路損失であり、
ＰＬ＝ＰＤＬ＿ＴＸ−ＰＤＬ＿ＲＸであり、ＰＬは前記経路損失であり、ＰＤＬ＿ＴＸは前記第１の送信電力レベルであり、ＰＤＬ＿ＲＸは前記フレームの受信電力レベルである、
請求項１８から２０のいずれか一項に記載のアクセス・ポイント。
【請求項２２】
前記フレームはトリガ・フレームである、請求項１８から２１のいずれか一項に記載のアクセス・ポイント。
【請求項２３】
Ｗｉ−Ｆｉシステム内で通信する方法であって、
局により、アクセス・ポイントからのダウンリンク送信を受信するステップであって、前記ダウンリンク送信はフレームを含み、前記フレームは、アップリンクパケットを送信するためのリソースの位置の表示、ターゲット電力レベルの表示、および第１の送信電力レベルの表示を含み、前記ターゲット電力レベルの表示は、アップリンクパケットのターゲットアップリンク受信電力を示すために使用され、前記第１の送信電力レベルの表示は、アクセス・ポイントによってフレームを送信するために使用される送信電力を示すために使用される、受信するステップと、
前記局により、前記ターゲット電力レベルおよび第１の送信電力レベルに従って第２の送信電力レベルを決定するステップと、
前記局により、前記第２の送信電力レベルで、かつ前記リソースの前記位置で前記アップリンクパケットを送信するステップと、
を含み、
前記ターゲット電力レベルおよび第１の送信電力レベルに従って第２の送信電力レベルを決定するステップは、
ＰＵＬ＿ＴＸ＝ＰＵＬ＿ＲＸ＿ＴＡＲＧＥＴ＋ＰＬ、および
ＰＬ＝ＰＤＬ＿ＴＸ−ＰＤＬ＿ＲＸ
に従って第２の送信電力レベルを決定するステップを含み、ＰＵＬ＿ＴＸは前記第２の送信電力レベルであり、ＰＵＬ＿ＲＸ＿ＴＡＲＧＥＴは前記ターゲット電力レベルであり、ＰＬは経路損失であり、ＰＤＬ＿ＴＸは前記第１の送信電力レベルであり、ＰＤＬ＿ＲＸは前記フレームの受信電力レベルである、方法。
【請求項２４】
ＰＤＬ＿ＲＸは前記局によって測定され、前記フレームは８０２．１１トリガ・フレームである、請求項２３に記載の方法。
【請求項２５】
装置に請求項１から６のいずれか一項または請求項２３または２４に記載の動作を行わせるための命令を実行するように構成された処理システムを備える装置。
【請求項２６】
前記装置は、さらに、前記処理システムに接続された少なくとも１つのメモリを備え、前記メモリは前記命令を含む、請求項２５に記載の装置。
【請求項２７】
前記処理システムは少なくとも１つのプロセッサを備える、請求項２５または２６に記載の装置。
【請求項２８】
前記装置は局または局のコンポーネントである、請求項２５から２７のいずれか一項に記載の装置。
【請求項２９】
装置に請求項７から１１のいずれか一項に記載の動作を行わせるための命令を実行するように構成された処理システムを備える装置。
【請求項３０】
前記装置は、さらに、前記処理システムに接続された少なくとも１つのメモリを備え、前記メモリは前記命令を含む、請求項２９に記載の装置。
【請求項３１】
前記処理システムは少なくとも１つのプロセッサを備える、請求項２９または３０に記載の装置。
【請求項３２】
前記装置はアクセス・ポイントまたはアクセス・ポイントのコンポーネントである、請求項２９から３１のいずれか一項に記載の装置。
【請求項３３】
コンピュータに請求項１から６のいずれか一項または請求項７から１１のいずれか一項または請求項２３または２４に記載の方法を実行させるプログラムを記録したコンピュータ読み取り可能な記録媒体。